(57)【要約】      （修正有）【課題】新品のものと簡単に交換できて維持管理上も便利で、更にダンパーの取付部がブラケットより抜けないようにした、窓開閉用のダンパー取付装置を提供する。【解決手段】枠側に枢着した障子の自由端側を、常時開放方向に付勢するガススプリング等のダンパー１０を有し、このダンパー１０の両端部に形成した貫通穴を有する取付部１１，１２を、ブラケット２０を介して、前記障子又は枠に取付けてなる窓開閉用のダンパー取付装置において、前記ブラケット２０は断面が略Ｕ字状であって、該ブラケット２０の障子又は枠に取付ける取付片２１には少なくともネジ取り付け用の穴を形成し、前記取付片２１に対向する対向片２５には軸２６を固着してなり、軸２６にダンパー１０の取付部１１，１２の貫通穴１１ａ，１２ａを嵌入させて枢支し、該取付部１１，１２が軸２６より抜けないように抜け止め機構３０が設けられている。【選択図】図２
2015209692.tif 000002
【特許請求の範囲】
【請求項１】
枠側に回動自在に枢着した障子の自由端側を、常時開放方向に付勢するガススプリング等のダンパーを有し、このダンパーの両端部に形成した貫通穴を有する取付部を、ブラケットを介して、前記障子又は枠に取付けてなる窓開閉用のダンパー取付装置において、
前記ブラケットは断面が略Ｕ字状であって、該ブラケットの障子又は枠に取付ける取付片には少なくともネジ取り付け用の穴を形成するとともに、前記取付片に対向する対向片には軸を固着してなり、
前記軸にダンパーの取付部の貫通穴を嵌入させて枢支するとともに、該取付部が軸より抜けないように抜け止め機構が設けられていることを特徴とする窓開閉用のダンパー取付装置。
【請求項２】
前記抜け止め機構としては、ブラケットの取付片に形成したスペーサー挿通穴と、このスペーサー挿通穴より抜挿自在に挿入されるスペーサーとからなり、前記ブラケットの取付片と対向片との間へ前記ダンパーの取付部を差し込んで、ダンパーの取付部の貫通穴に前記軸を嵌入させるとともに、前記スペーサーをブラケットのスペーサー挿通穴より挿入して、該スペーサーの前端面をダンパーの取付部に当接すると共に、後端面を障子または枠に当接してダンパーの取付部をブラケットに保持するように構成してあることを特徴とする請求項１に記載の窓開閉用のダンパー取付装置。
【請求項３】
前記抜け止め機構としては、断面が略Ｃ字状の筒体からなるスペーサーからなり、前記ブラケットの取付片と対向片との間へ前記ダンパーの取付部を差し込んで、ダンパーの取付部の貫通穴に前記軸を嵌入させるとともに、前記スペーサーをブラケットの取付片と対向片との間へ差し込んで軸に挟着保持させ、該スペーサーの前端面をダンパーの取付部に当接すると共に、後端面をブラケットの取付片に当接してダンパーの取付部をブラケットに保持するように構成してあることを特徴とする請求項１に記載の窓開閉用のダンパー取付装置。
【請求項４】
前記抜け止め機構としては、ブラケットの対向片に固着した軸自体が、対向片に固着した部分を小径部とし、先端部に大径部の鍔部を形成してなり、前記ブラケットの取付片と対向片との間へ前記ダンパーの取付部を差し込んで、ダンパーの取付部の貫通穴に前記軸の小径部を嵌入させることにより、該軸の大径部の鍔部がダンパーの取付部の外れる方向への抜け止めとなることを特徴とする請求項１に記載の窓開閉用のダンパー取付装置。
【発明の詳細な説明】
【技術分野】
【０００１】
本発明は、枠側に枢着した障子の自由端側を、常時開放方向に付勢するガススプリング等のダンパーを有し、このダンパーの両端部の取付部をブラケットを介して、前記障子又は枠に取付けてなる窓開閉用のダンパー取付装置に関する。
【０００２】
なお、本発明で、「障子」とは、扉、窓、天窓に限らず、自動車のハッチドアなどの如く、枠側に回動自在に枢着した回動体の自由端側を、又は摺動体を常時開放方向に付勢するガススプリング等のダンパーを備えた開閉体一般を含む広義のものをいう。
【背景技術】
【０００３】
従来、この種の窓開閉用のダンパー取付装置としては、例えば、本願出願人が出願した実開昭６２−１７３４７９号公報（特許文献１）記載の窓の開閉装置において、従来例として挙げられた第１５図のものが知られている。
【０００４】
この特許文献１の第１５図のものは、一端を建築物の枠側にブラケットを介し取着し、他端をブラケットを介して障子に取着したガススプリングなどのダンパーを用い、回動自在に枢着した障子の自由端側を、前記ダンパーにより常時開放方向に付勢しておき、火災発生時の排煙や通常時の換気などの目的で閉鎖した障子を係止が解除されるに伴い、開放するように構成したものである。
【０００５】
上記従来例のダンパーとブラケットとの取付構造を、障子閉鎖状態の水平断面図である図１4に基づいて以下に説明する。この図１４において、０１は建築物の開口部に取付けたサッシなどのからなる枠、０２は窓をなす障子で、障子０２は枠０１の下端にヒンジ（図示せず）により回動自在に枢着され、外開きするようにしてある。０３は障子０２の自由端側を常時開放方向に付勢するダンパーで、障子０２と枠０１との間に設けられている。このダンパー０３の一端は、予め障子０２に固定したブラケット０４にボルト０５とナット０６とで取り付けるとともに、ダンパー０３の他端は、同様にして、予め枠０１に固定したブラケット０７にボルト０８とナット０９とで取り付けている。０１０はブラケット０４を障子０２に固定するネジ、０１１はブラケット０７を枠０１に固定するネジである。
【０００６】
また、ダンパーとブラケットとの取付構造としては、上記のボルトとナットを使用することなく、ダンパーの取付部とブラケットとを、予めピンでカシメて固定しておき、現場にてブラケットを枠と障子にネジで固定して取り付ける構造のものも知られている。
【先行技術文献】
【特許文献】
【０００７】
【特許文献１】実開昭６２−１７３４７９号公報
【発明の概要】
【発明が解決しようとする課題】
【０００８】
しかしながら、前記特許文献１の窓の開閉装置は、
（ａ）ブラケット０４、０７を障子０２又は枠０１に予め固定しておいて、ボルト０５、０８とナット０６、０９でダンパー０３の取付部をブラケット０４，０７に取り付けるものであるため、ブラケット０４，０７をネジで取り付けるためのドライバー以外にボルト及びナットを締め付けるスパナ等の取付工具が必要であるばかりか、障子と枠の狭い空間（隠蔽空間）での狭い作業スペースで、ボルトとナットとの締結作業に苦労していた。
【０００９】
（ｂ）また、ダンパーの取付部とブラケットとを、予めピンでカシメて固定する構成のものでは、ダンパーをブラケットから取り外すことが困難であるため、損傷や故障等したダンパーを新品と交換することができず維持管理上の難点があった。
【００１０】
本発明は、従来例の上記（ａ）、（ｂ）の如き問題を解消しようとするものであり、ダンパーとブラケットとの取付けに、ボルトとナットとを使用しないことで、安価になると共に、障子と枠の狭い空間において、ドライバーとスパナの作業工具でボルトとナットとを締付けする煩わしい作業を不要とした。また、ダンパーとブラケットとをピンでカシメて固定するカシメ作業も不要で、ダンパーが損傷や故障等した場合に、新品のものと簡単に交換できて維持管理上も便利な窓開閉用のダンパー取付装置を提供することを目的とする。
【課題を解決するための手段】
【００１１】
上記目的を達成するため、本発明の請求項１の発明は、枠側に回動自在に枢着した障子の自由端側を、常時開放方向に付勢するガススプリング等のダンパーを有し、このダンパーの両端部に形成した貫通穴を有する取付部を、ブラケットを介して、前記障子又は枠に取付けてなる窓開閉用のダンパー取付装置において、
前記ブラケットは断面が略Ｕ字状であって、該ブラケットの障子又は枠に取付ける取付片には少なくともネジ取り付け用の穴を形成するとともに、前記取付片に対向する対向片には軸を固着してなり、前記軸にダンパーの取付部の貫通穴を嵌入させて枢支するとともに、該取付部が軸より抜けないように抜け止め機構が設けられていることを特徴とする。
【００１２】
ここで、「ダンパー」は、実施形態で示しているように、シリンダー内に密閉された高圧不活性ガスの圧力によりピストンロッドを伸縮させるガススプリングに限らず、高圧不活性ガスの代わりに圧縮コイルバネを用いたものとか、その他のものでもよく、適宜選定できる。
【００１３】
また、「ブラケット」は、剛性の金属製のものが好ましいが、材質は特に限定されない。
【００１４】
さらに、ダンパーの取付部が、ブラケットの対向片に固着した軸より抜けないようにする「抜け止め機構」は、請求項２に記載するような円筒体のスペーサー、請求項３に記載するような断面が略Ｃ字状の筒体からなるスペーサー、或いは、請求項４に記載するような軸自体の形状に抜け止めの工夫をするなどして構成でき、その他任意に設計変更できる。
【００１５】
請求項２の発明は、請求項１において、前記抜け止め機構としては、ブラケットの取付片に形成したスペーサー挿通穴と、このスペーサー挿通穴より抜挿自在に挿入されるスペーサーとからなり、前記ブラケットの取付片と対向片との間へ前記ダンパーの取付部を差し込んで、ダンパーの取付部の貫通穴に前記軸を嵌入させるとともに、前記スペーサーをブラケットのスペーサー挿通穴より挿入して、該スペーサーの前端面をダンパーの取付部に当接すると共に、後端面を障子または枠に当接してダンパーの取付部をブラケットに保持するように構成してあることを特徴とする。
【００１６】
請求項３の発明は、請求項１において、前記抜け止め機構としては、断面が略Ｃ字状の筒体からなるスペーサーからなり、前記ブラケットの取付片と対向片との間へ前記ダンパーの取付部を差し込んで、ダンパーの取付部の貫通穴に前記軸を嵌入させるとともに、前記スペーサーをブラケットの取付片と対向片との間へ差し込んで軸に挟着保持させ、該スペーサーの前端面をダンパーの取付部に当接すると共に、後端面をブラケットの取付片に当接してダンパーの取付部をブラケットに保持するように構成してあることを特徴とする。
【００１７】
請求項４の発明は、請求項１において、前記抜け止め機構としては、ブラケットの対向片に固着した軸自体が、対向片に固着した部分を小径部とし、先端部に大径部の鍔部を形成してなり、前記ブラケットの取付片と対向片との間へ前記ダンパーの取付部を差し込んで、ダンパーの取付部の貫通穴に前記軸の小径部を嵌入させることにより、該軸の大径部の鍔部がダンパーの取付部の外れる方向への抜け止めとなることにより、ダンパーの取付部をブラケットに保持するように構成してあることを特徴とする。
【発明の効果】
【００１８】
請求項１の発明によれば、ダンパーとブラケットとの取付けに、ボルトとナットとを使用せず、安価であると共に、しかも、障子と枠の狭い空間において、スパナなどの工具でボルトとナットとを締付けする煩わしい作業が不要となる。また、ダンパーとブラケットとをピンでカシメて固定するカシメ作業も不要で、ダンパーが損傷や故障等した場合に、新品のものと簡単に交換できて維持管理上も便利な窓開閉用のダンパー取付装置を提供することができる。さらに、ダンパーの取付部に形成した貫通穴が、ブラケットの対向片に固着した軸より抜けないように抜け止め機構が設けてあるから、ダンパーがブラケットより外れない効果がある。
【００１９】
請求項２の発明によれば、上記請求項１の効果を有するだけでなく、抜け止め機構が、ブラケットの取付片に形成したスペーサー挿通穴と、このスペーサー挿通穴より抜挿自在に挿入されるスペーサーとからなっているので、構造が簡単で、組付けも簡単な抜け止め機構が提供できる。
【００２０】
請求項３の発明によれば、上記請求項１の効果を有するだけでなく、抜け止め機構が、断面が略Ｃ字状の筒体からなるスペーサーからなるとともに、このスペーサーをブラケットの取付片と対向片との間へ差し込んで組み付けるものであるから、構造が簡単で、組付けも簡単な抜け止め機構が提供できる。
【００２１】
請求項４の発明によれば、上記請求項１の効果を有するだけでなく、抜け止め機構としては、ブラケットの対向片に固着した軸自体が、対向片に固着した部分を小径部とし、先端部に大径部の鍔部を形成してなり、前記ブラケットの取付片と対向片との間へ前記ダンパーの取付部を差し込んで、ダンパーの取付部の貫通穴に前記軸の大径部から小径部に嵌入させることにより、ダンパーの付勢力により、取付部の貫通穴の端部が小径部に圧接されることにより、該軸の大径部の鍔部がダンパーの取付部の外れる方向への抜け止めとなることを特徴とするものであるから、請求項２、３に記載したスペーサーを設ける必要がなく、ブラケットの対向片に固着した軸が、ダンパーの取付部を枢支する支承機能を有すると共に、該ダンパーの取付部が外れるのを防止する抜け止め機能とを有する効果を奏する。
【図面の簡単な説明】
【００２２】
【図１】本発明の実施の形態１を示す障子閉鎖状態における側面図である。
【図２】図１の要部の正面図である。
【図３】図２の水平断面図である。
【図４】ブラケットとスペーサーの分解斜視図である。
【図５】ブラケットの取付片と対向片との間へダンパーの取付部を差し込む状態を示した工程図である。
【図６】ダンパーの取付部の貫通穴に、ブラケットの対向片に固着した軸を嵌入させた状態を示し、(Ａ)はスぺーサーをブラケットのスペーサー挿通穴に挿入する前の状態を示した工程図、(Ｂ)は上記(Ａ)の状態からスペーサーをスペーサー挿通穴に挿入して該スペーサーの前端面をダンパーの取付部に当接して保持した状態を示した工程図である。
【図７】図６(Ｂ)の状態からブラケットの取付片に形成したネジ取り付け用の穴にネジをねじ込んで、ブラケットを障子に固定した状態を示した取付状態図である。
【図８】図５〜図７と同様の方法で、ダンパーの他方の端部に形成した取付部を枠に取付けた状態を示した要部の正面図である。
【図９】本発明の実施の形態２に使用するスペーサーの斜視図である。
【図１０】ブラケットの取付片と対向片との間へダンパーの取付部を差し込む状態を示す図５と同様の工程図である。
【図１１】ダンパーの取付部の貫通穴に、ブラケットの対向片に固着した軸を嵌入させた後におけるスペーサーの組み付け工程を示し、(Ａ)はスぺーサーをブラケットの取付片と対向片との間へ差し込んで前記軸を嵌合する前の状態を示した工程図、(Ｂ)は上記(Ａ)の状態からスペーサーを軸に嵌合した状態を示した工程図である。
【図１２】本発明の実施の形態３を示した、図５と同様の工程図であって、ブラケットの対向片に固着した軸自体を抜け止め機構としたものである。
【図１３】図１２の状態から、ダンパーの取付部の貫通穴にブラケットの対向片の軸を嵌入させて、軸の大径部の鍔部がダンパーの取付部が外れるのを阻止している状態を示した、図１１(Ｂ)と同様の工程図である。
【図１４】従来例のダンパーとブラケットとの取付構造を示した水平断面図である。
【発明を実施するための形態】
【００２３】
（実施の形態１）
本発明の実施の形態１を図１〜図８に基づいて以下に説明する。
【００２４】
図１は本発明の実施の形態１を示す障子閉鎖状態における側面図、図２は図１の要部の正面図、図３は図２の水平断面図、図４はブラケットとスペーサーの分解斜視図、図５〜図８はブラケットとダンパー、又はそれらと障子、枠との組み付けの工程図である。
【００２５】
図１において、１は建築物２の開口部に取り付けたサッシなどからなる枠、３は窓をなす障子で、この障子３は枠１の下端にヒンジ４により回動自在に枢着され、図１に示す如く外開きできるようにしてある。
【００２６】
図１〜図３において、１０は障子３の自由端側を常時開放方向に付勢するガススプリング等のダンパーで、枠１と障子３との間に設けられている。このダンパー１０の具体的構造は、この実施形態例で示しているように、シリンダー１０ａ内に密閉された高圧不活性ガスの圧力によりピントンロッド１０ｂを伸縮させるガススプリングを採用している。そして、このガススプリング１０の一端(実施形態１では上端)と他端(実施形態１では下端)には、貫通穴１１ａ、１２ａを有する取付部１１、１２が設けてある。
【００２７】
前記ダンパーであるガススプリング１０の取付部１１、１２を、ブラケット２０、２０を介して、前記障子３又は枠１に取り付けてある。
【００２８】
前記ブラケット２０は、図４に示されているように、断面が略Ｕ字状であって、該ブラケット２０の障子３又は枠１に取付ける板状の取付片２１には少なくともネジで固定するための穴２２、２２を形成するとともに、前記取付片２１に対向する山形状の対向片２５には軸２６を固着してある。固着方法は、かしめでもよく、またネジなどで固定してもよく任意である。
また、前記取付片２１の中央部には、後述する抜け止め機構となるスペーサー３１を抜挿自在に挿入するスペーサー挿通穴２３が形成されている。
【００２９】
このブラケット２０は、同一構造のものを２個使用し、第１のブラケット２０は、図１〜図３、図７に示すように、障子３の自由端側である上部の側面に、ブラケット２０の取付片２１を当てがって、その取付片２１に形成したネジ取り付け用の穴２２，２２からネジ２４、２４を障子３に形成したネジ穴にねじ込んで固定してある。
一方、第２のブラケット２０は、第１のブラケット２０とは向きを変えて、図１〜図３、図８に示すように、枠１の内側壁の下部に、ブラケット２０の取付片２１を当てがって、その取付片２１に形成したネジ取り付け用の穴２２，２２からネジ２７、２７を枠１に形成したネジ穴にねじ込んで固定してある。
このように、第１、第２のブラケット２０、２０は同一構造のものを一種類揃えるだけでよいので、部品代が節減できる。
【００３０】
また、第１、第２のブラケット２０、２０の対向片２５、２５に固着した軸２６、２６に、ダンパー１０の取付部１１、１２に形成した貫通穴１１ａ、１２ａを嵌入させて、該ダンパー１０を枢着してある。すなわち、第１のブラケット２０の軸２６はダンパー１０の取付部１１の貫通穴１１ａに嵌入させ、第２のブラケット２０の軸２６はダンパー１０の取付部１２の貫通穴１２ａに嵌入させている。
【００３１】
そして、上記貫通穴１１ａ、１２ａつまり取付部１１，１２が軸２６、２６より抜けないように抜け止め機構３０が設けられている。
この実施の形態１では、抜け止め機構３０としては、ブラケット２０の取付片２１に形成したスペーサー挿通穴２３と、このスペーサー挿通穴２３より抜挿自在に挿入される円筒状のスペーサー３１とからなっている。
【００３２】
ダンパー１０をブラケット２０、２０に取り付ける一例を図５〜図８に基づいて、以下に説明する。
ブラケット２０の対向片２５には、予め軸２６がかしめなどにより固着されている（図４参照）。そこで、この軸２６付きのブラケット２０の取付片２１と対向片２５との間へ、ダンパー１０の取付部１１を差し込む（図５参照）。
【００３３】
次に、ダンパー１０の取付部１１の貫通穴１１ａに、前記ブラケット２０の軸２６を嵌入させるとともに、前記スペーサー３１をブラケット２０の取付片２１のスペーサー挿通穴２３より挿入する（図６（Ａ）、（Ｂ）参照）。そして、スペーサー３１の前端面をダンパー１０の取付部１１に当接して保持する（図６（Ｂ）参照）。
【００３４】
次に、図６（Ｂ）の状態で、図７に示すように、取付片２１を障子３の自由端側の上部側面に当てがって、対向片２５側からドライバーでネジ２４、２４を障子３にねじ込んで固定する。この取付状態で、スペーサー３１の前端面はダンパー１０の取付部１１に当接し、後端面は障子３に当接して保持されるので、取付部１１は軸２６から抜けない。
【００３５】
一方、ダンパー１０の他方の端部（つまりピストンロッド１０ｂに連結した取付部１２）と枠１の下部との取り付けは、前述した図５〜図６と同様の方法で組み付け、最終的には、図８に示すように、第２のブラケット２０の取付片２１を枠１の下部内側壁に当てがって、対向片２５側からドライバーでネジ２７、２７を枠１にねじ込んで固定する。この取付状態で、スペーサー３１の前端面はダンパー１０の取付部１２に当接し、後端面は枠１に当接して保持されるので、取付部１２は軸２６から抜けない。
【００３６】
この実施形態１の窓開閉用のダンパー取付装置は、以上のように構成してあるので、図１の障子閉鎖状態において、火災等の非常時に、障子３を閉鎖位置に係止していた係止手段（図示せず）の係止を解除すると、前記のダンパー１０の付勢力により障子３が開放される。
【００３７】
（実施の形態２）
本発明の実施の形態２を図９〜図１１に基づいて以下に説明する。
この実施の形態２のものは、抜け止め機構３０としては、断面が略Ｃ字状の筒体からなるスペーサー４１から構成している点において、前記実施の形態１のものと異なるものである。すなわち、この場合のスペーサー４１は、合成樹脂やステンレススチール等の金属で製造され、弾性を有するものである。このスペーサー４１は、軸２６の外径と略等しい円筒部４１ａと、軸２６の外径より小さい寸法の開口部４１ｂとで一体に形成してある。また、ブラケット２０の取付片２１には、前記実施の形態１ではスペーサー挿通穴２３を形成しているが、この実施の形態２では、該スペーサー挿通穴２３を形成していない点でも両者は異なる。
その他のダンパー１０などの構成は、実施の形態１のものと同一であるので、詳細は実施の形態１を参照するとよい。
【００３８】
そして、ダンパー１０をブラケット２０、２０に取り付ける方法は、先ず、図１０に示すように、軸２６付きのブラケット２０の取付片２１と対向片２５との間へダンパー１０の取付部１１を差し込む。
【００３９】
次に、ダンパー１０の取付部１１の貫通穴１１ａにブラケット２０の軸２６を嵌入させるとともに、前記スペーサー４１をブラケット２０の取付片２１と対向片２５（ダンパー１０の取付部１１）との間から差し込んで、略Ｃ字状のスペーサー４１の開口部４１ｂを軸２６に当接し、強く押し込むことにより、開口部４１ｂが拡開して軸２６がスペーサー４１の円筒部４１ａに嵌合すると共に、スペーサー４１の弾性により開口部４１ｂは元の状態に復帰し、スペーサー４１は軸２６に挟着保持される。そうして、該スペーサー４１の前端面がダンパー１０の取付部１１に当接し、後端面がブラケット２０の取付片２１に当接して保持される。（図１１（Ａ），（Ｂ）参照）。
【００４０】
さらに、図１１（Ｂ）の状態で、図７に示すように、ブラケット２０の取付片２１を障子３の自由端側の上部側面に当てがって、対向片２５側からドライバーでネジ２４、２４を障子３にねじ込んで固定する。
【００４１】
一方、ダンパー１０の他方の端部と枠１の下部との取り付けは、上記と同様の方法でブラケット２０に取付け固定する。すなわち、前述した図５〜図６と同様の方法で組み付け、最終的には、図８に示すように、第２のブラケット２０の取付片２１を枠１の下部内側壁に当てがって、対向片２５側からドライバーでネジ２７、２７を枠１にねじ込んで固定する。
【００４２】
（実施の形態３）
本発明の実施の形態３を図１２と図１３に基づいて以下に説明する。
この実施の形態３のものは、抜け止め機構３０としては、ブラケット２０の対向片２５に固着した軸２６自体が、対向片２５に固着した部分を小径部２６ａとし、先端部に大径部の鍔部２６ｂを形成してある点に顕著な特徴を有し、前述したスペーサー３１、４１を不要としたものである。
【００４３】
ダンパー１０をブラケット２０、２０に取り付ける場合には、前記ブラケット２０の取付片２１と対向片２５との間へ前記ダンパー１０の取付部１１を差し込んで（図１２参照）、ダンパー１０の取付部１１の貫通穴１１ａに前記軸２６の小径部２６ａを嵌入させる。これにより、軸２６の大径部の鍔部２６ｂがダンパー１０の取付部１１が外れるのを阻止する抜け止め機能を果たす。
【００４４】
すなわち、図１３から判るように、ダンパー１０の取付部１１に形成した貫通穴１１ａは、ブラケット２０の軸２６の大径部の鍔部２６ｂが出し入れできるように少し大径となっている。そのため、上記貫通穴１１ａが鍔部２６ｂを経て小径部２６ａを嵌入した状態に至ると、ダンパー１０の開放方向の付勢力によって、貫通穴１１ａの底部の端部が軸２６の小径部の下部面に圧接されるため、大径部の鍔部２６ｂにより、ダンパー１０の取付部が軸２６から抜ける方向への移動が阻止されるので、取付部１１の外れを防止している。
なお、図１２と図１３では、軸２６の小径部２６ａと大径部の鍔部２６ｂとの間に斜面部を形成したものを示したが、この斜面部は形成しなくてもよい。斜面部を形成した場合は、取付部１１、１２が軸２６から抜ける方向に移動した時でも、ダンパー１０の付勢力と斜面部の作用により、取付部１１、１２が元の状態に復帰する効果がある。
【００４５】
ダンパー１０とブラケット２０、２０の取り付け方法については、前記実施の形態１、２と同様であるので、説明を省略する。
【００４６】
なお、大径部の鍔部２６ｂは、図１２と図１３では小径部２６ａとの接続部分を環状のテーパとしているが、環状のテーパでないものでもよい。
【符号の説明】
【００４７】
１        枠
３        障子
４        ヒンジ
１０      ダンパー
１１      取付部
１１ａ    貫通穴
１２      取付部
１２ａ    貫通穴
２０      ブラケット
２１      取付片
２２      ネジ取り付け用の穴
２３      スペーサー挿通穴
２４      ネジ
２５      対向片
２６      軸
２６ａ    小径部
２６ｂ    大径部の鍔部
２７      ネジ
３０      抜け止め機構
３１      スペーサー
４１      スペーサー
【図１】
2015209692.tif 000003
【図２】
2015209692.tif 000004
【図３】
2015209692.tif 000005
【図４】
2015209692.tif 000006
【図５】
2015209692.tif 000007
【図６】
2015209692.tif 000008
【図７】
2015209692.tif 000009
【図８】
2015209692.tif 000010
【図９】
2015209692.tif 000011
【図１０】
2015209692.tif 000012
【図１１】
2015209692.tif 000013
【図１２】
2015209692.tif 000014
【図１３】
2015209692.tif 000015
【図１４】
2015209692.tif 000016